(57)【特許請求の範囲】
【請求項１】
データ記録可能領域とデータ記録不可能領域とが混在する光ディスクにレーザ光を照射し、該光ディスクから取り出した信号を評価する光ディスク信号評価装置において、
該光ディスクを回転させる回転駆動手段と、
該回転駆動手段による回転が行われる際、回転角度を検出し出力する回転角度検出手段と、
該光ディスクに照射されたレーザ光の反射光による信号に基づき、該レーザ光の焦点が該光ディスクの記録面に合うよう制御を行うフォーカスサーボ制御手段と、
該光ディスクに照射されたレーザ光の反射光による信号に基づき、該レーザ光の焦点が該光ディスクに形成されたトラックを追従するよう制御を行うトラッキングサーボ制御手段と、
該光ディスクの反射光から形成した信号からデータ記録不可能領域である該光ディスクのランドとグループの切り換え点を検出し、検出したときの該回転角度検出手段が出力する回転角度を記憶する切り換え点検出手段と、
該切り換え点検出手段が切り換え点を検出してから該光ディスクの反射光から形成したウォブル信号の波の数をカウントし、波の数が所定個数となるタイミングをデータ記録不可能領域として検出し、検出したときの該回転角度検出手段が出力する回転角度を記憶する所定回転角度位置検出手段と、
該回転角度検出手段が出力する回転角度が、該切り換え点検出手段と該所定回転角度位置検出手段に記憶された回転角度の前後の所定範囲の回転角度の間、マスク信号を発生するマスク信号発生手段と、
該レーザ光の焦点を該光ディスクの面の垂直方向に往復移動させる往復移動手段と、
該マスク信号が発生していない期間中、該光ディスクから取り出した信号を評価する信号評価手段と、
該回転駆動手段による回転と該回転角度検出手段による回転角度検出が行われている状態で、該フォーカスサーボ制御手段と該トラッキングサーボ制御手段による制御を行って、該切り換え点検出手段と、該所定回転角度位置検出手段に回転角度の記憶を行わせた後、該フォーカスサーボ制御手段と該トラッキングサーボ制御手段による制御を行わないで、該往復移動手段による該レーザ光の焦点の往復移動と、該マスク信号発生手段によるマスク信号の発生と、該信号評価手段による信号の評価を行わせる制御手段とを備えることを特徴とする光ディスク評価装置。
【請求項２】
データ記録可能領域とデータ記録不可能領域とが混在する光ディスクにレーザ光を照射し、該光ディスクから取り出した信号を評価する光ディスク信号評価方法において、
回転駆動手段により該光ディスクを回転させ、
該光ディスクに照射されたレーザ光の反射光による信号に基づき該レーザ光の焦点を該光ディスクの記録面に合わせるフォーカスサーボ制御と、該光ディスクに照射されたレーザ光の反射光による信号に基づき該レーザ光の焦点を該光ディスクに形成されたトラックを追従させるトラッキングサーボ制御を行い、
該光ディスクの反射光から形成した信号からデータ記録不可能領域である該光ディスクのランドとグループの切り換え点を回転角度として検出して切り換え点検出手段に記憶し、
該切り換え点を検出してから該光ディスクの反射光により形成したウォブル信号の波の数をカウントし、波の数が所定個数となる位置の回転角度を検出して所定回転角度位置検出手段に記憶した後、該フォーカスサーボ制御と該トラッキングサーボ制御を行わないで、該レーザ光の焦点を該光ディスクの面の垂直方向に往復移動させ、該回転駆動手段による回転の回転角度を検出しながら、検出した回転角度が該切り換え点検出手段と該所定回転角度位置検出手段に記憶された回転角度の前後の所定範囲の回転角度の間マスク信号を発生させ、
該マスク信号が発生していない期間中、該光ディスクから取り出した信号を評価することを特徴とする光ディスク信号評価方法。
【発明の詳細な説明】
【技術分野】
【０００１】
本発明は、データ記録可能領域とデータ記録不可能領域とが混在する光ディスクから取り出した信号を評価する光ディスク信号評価装置及び光ディスク信号評価方法に関する。
【背景技術】
【０００２】
従来より、光ディスクに光ピックアップからレーザ光を照射し、光ピックアップの対物レンズをフォーカス方向に所定の範囲で往復移動させて、光ディスクからの反射光から形成したフォーカスエラー信号にＳ字信号を発生させ、このＳ字信号を評価することで、光ディスクまたは光ピックアップまたは光ディスク装置を評価する評価装置はよく知られている。例えば、特許文献１では、Ｓ字信号を評価することで、光ディスクを評価する装置が紹介されている。
【０００３】
ところで、光ディスクにはＤＶＤ−ＲＡＭのように光ディスク中にデータを記録可能な領域（データ記録可能領域）と、データが記録がされていて新たな記録ができない領域（データ記録不可能領域）が存在するものがある。
【特許文献１】特開平１１−３３７４４２号公報
【発明の開示】
【発明が解決しようとする課題】
【０００４】
しかしながら、従来の光ディスク信号評価装置では、レーザ光が照射されている領域がデータ記録可能領域である場合とデータ記録不可能領域である場合とにより反射率が異なるためＳ字信号の評価結果が異なり、再現性のよい評価結果が得られないという問題がある。
【０００５】
本発明は、このような事情に鑑みてなされたもので、データ記録可能領域とデータ記録不可能領域とが混在する光ディスクにおいても、再現性のよい信号の評価結果を得ることが可能な光ディスク信号評価装置及び光ディスク信号評価方法を提供することにある。
【課題を解決するための手段】
【０００６】
請求項１記載の光ディスク評価装置は、光ディスクを回転させる回転駆動手段と、回転駆動手段による回転が行われる際、回転角度を検出し出力する回転角度検出手段と、光ディスクに照射されたレーザ光の反射光による信号に基づき、レーザ光の焦点が光ディスクの記録面に合うよう制御を行うフォーカスサーボ制御手段と、光ディスクに照射されたレーザ光の反射光による信号に基づき、レーザ光の焦点が光ディスクに形成されたトラックを追従するよう制御を行うトラッキングサーボ制御手段と、光ディスクの反射光から形成した信号からデータ記録不可能領域である光ディスクのランドとグループの切り換え点を検出し、検出したときの回転角度検出手段が出力する回転角度を記憶する切り換え点検出手段と、切り換え点検出手段が切り換え点を検出してから光ディスクの反射光から形成したウォブル信号の波の数をカウントし、波の数が所定個数となるタイミングをデータ記録不可能領域として検出し、検出したときの回転角度検出手段が出力する回転角度を記憶する所定回転角度位置検出手段と、回転角度検出手段が出力する回転角度が、切り換え点検出手段と所定回転角度位置検出手段に記憶された回転角度の前後の所定範囲の回転角度の間、マスク信号を発生するマスク信号発生手段と、レーザ光の焦点を光ディスクの面の垂直方向に往復移動させる往復移動手段と、マスク信号が発生していない期間中、光ディスクから取り出した信号を評価する信号評価手段と、回転駆動手段による回転と回転角度検出手段による回転角度検出が行われている状態で、フォーカスサーボ制御手段とトラッキングサーボ制御手段による制御を行って、切り換え点検出手段と、所定回転角度位置検出手段に回転角度の記憶を行わせた後、フォーカスサーボ制御手段とトラッキングサーボ制御手段による制御を行わないで、往復移動手段によるレーザ光の焦点の往復移動と、マスク信号発生手段によるマスク信号の発生と、信号評価手段による信号の評価を行わせる制御手段とを備えることを特徴とする。
【０００７】
請求項２記載の光ディスク信号評価方法は、回転駆動手段により光ディスクを回転させ、光ディスクに照射されたレーザ光の反射光による信号に基づきレーザ光の焦点を光ディスクの記録面に合わせるフォーカスサーボ制御と、光ディスクに照射されたレーザ光の反射光による信号に基づきレーザ光の焦点を光ディスクに形成されたトラックを追従させるトラッキングサーボ制御を行い、光ディスクの反射光から形成した信号からデータ記録不可能領域である光ディスクのランドとグループの切り換え点を回転角度として検出して切り換え点検出手段に記憶し、切り換え点を検出してから光ディスクの反射光により形成したウォブル信号の波の数をカウントし、波の数が所定個数となる位置の回転角度を検出して所定回転角度位置検出手段に記憶した後、フォーカスサーボ制御とトラッキングサーボ制御を行わないで、レーザ光の焦点を光ディスクの面の垂直方向に往復移動させ、回転駆動手段による回転の回転角度を検出しながら、検出した回転角度が切り換え点検出手段と所定回転角度位置検出手段に記憶された回転角度の前後の所定範囲の回転角度の間マスク信号を発生させ、マスク信号が発生していない期間中、光ディスクから取り出した信号を評価することを特徴とする。
【発明の効果】
【００１７】
請求項１及び請求項２の発明によれば、光ディスクのランドとグループの切り換え点の回転角度を検出し、この位置からウォブル信号の波の数をカウントして、カウント数が所定数となる回転角度を記憶し、この回転角度の前後の所定範囲の回転角度の間はマスク信号を発生させ、マスク信号が発生していない期間中、光ディスクから取り出した信号を評価することから、光ディスクを回転させて取り出した信号の評価も行う場合に、光ディスクの回転、停止を行う必要がなく作業効率がよい。
【発明を実施するための最良の形態】
【００２１】
以下、本発明の形態について図面を参照しながら具体的に説明する。本発明の形態における光ディスク信号評価装置は、データ記録可能領域とデータ記録不可能領域とが混在する光ディスクから取り出した信号を評価するためのものである。
【実施例１】
【００２２】
図１は、本発明に係る光ディスク信号評価装置の第１の実施例を示す構成図である。図２〜図４は、同光ディスク信号評価装置の動作を示すフローチャートである。
【００２３】
本実施例の光ディスク信号評価装置１は、フォーカスエラー信号のＳ字信号を評価することで光ピックアップ装置２００を評価する光ピックアップ装置２００の評価装置である。この光ディスク信号評価装置１は、光ピックアップ装置２００内にあるフォーカスアクチュエータにより対物レンズをフォーカス方向（光ディスクＤＫの面に垂直な方向）に駆動させ、フォーカスエラー信号に発生するＳ字を評価するようになっている。具体的には、Ｓ字の評価は＋方向と−方向の振幅を足し合わせた値（以下、Ｓ字振幅という）である。光ディスク信号評価装置１は、表示装置５０４や入力装置５０６を備えたコントローラ５０２、ＨＦ信号増幅回路１０２、フォーカスエラー信号生成回路１０４、フォーカスサーボ回路１０６、往復動発生回路１１０、信号振幅測定回路１１２、レーザ駆動回路２０２、回転駆動装置３００、スピンドルモータ制御回路３０２、パルス数カウント回路３０４、フィールドモータ制御回路４０２等から構成されている。
【００２４】
光ディスク信号評価装置１で用いる光ディスクＤＫは、ＤＶＤ−ＲＡＭのように光ディスク中にデータを記録可能な領域（データ記録可能領域）と、データが記録がされていて新たな記録ができない領域（データ記録不可能領域）が存在するものである。
【００２５】
回転駆動装置３００は、光ディスクＤＫを回転駆動するためのスピンドルモータ３０１と光ディスクＤＫを径方向に移動させるフィードモータ４００とを備えている。スピンドルモータ３０１の回転軸にはターンテーブル３０６が固定されており、ターンテーブル３０６上に光ディスクＤＫが着脱可能な状態で載置されている。スピンドルモータ３０１内には、スピンドルモータ３０１の回転すなわちターンテーブル３０６（光ディスクＤＫ）の回転を検出して、その回転を表す回転検出信号を出力するエンコーダが組み込まれている。この回転検出信号は、ターンテーブル３０６（光ディスクＤＫ）の回転位置が一つの基準回転位置に来るごとに基準信号であるインデックス信号ＩＮＤＥＸと、所定の微小な回転角度ずつハイレベルとローレベルを繰り返すパルス列信号とからなるとともに互いにπ／２だけ位相のずれたＡ相信号φＡおよびＢ相信号φＢとからなる。インデックス信号ＩＮＤＥＸ、Ａ相信号φＡ、Ｂ相信号φＢはスピンドルモータ制御回路３０２やパルス数カウント回路３０４やコントローラ５０２に供給されている。
【００２６】
スピンドルモータ制御回路３０２は、コントローラ５０２から指示された回転速度でターンテーブル３０６（光ディスクＤＫ）を回転する。回転速度には低速１とこれより遅い低速２と、超低速がある。超低速は停止命令が入力した位置でスピンドルが停止する回転速度である。
【００２７】
パルス数カウント回路３０４は、コントローラ５０２からの指示によりスピンドルモータ３０１の中にあるエンコーダから出力されるパルス信号のパルス数をカウントし、カウント数から回転角度を計算して回転角度に相当する信号をコントローラ５０２に出力する。またコントローラ５０２からの指示によりカウントを終了し、回転角度に相当する信号の出力を停止すると共に、カウント数をリセットする。
【００２８】
フィールドモータ制御回路４０２は、スピンドルモータ３０１を固定支持するとともに光ディスクＤＫの径方向の移動のみが許容された支持部材に連結されているフィールドモータ４００を制御するものである。
【００２９】
レーザ駆動回路２０２は、光ピックアップ装置２００を駆動するための回路で、レーザパワー設定や記録信号生成等のための回路である。往復動発生回路１１０は、光ピックアップ装置２００内にあるフォーカスアクチュエータにより対物レンズをフォーカス方向に往復動させるための信号を出力する。
【００３０】
信号振幅測定回路１１２は、信号の＋方向と−方向にピークホールド回路を持つ回路であり、ピークホールド回路はオペアンプ、抵抗、ダイオード、コンデンサ等から構成される一般的な回路である。信号振幅測定回路１１２は、コントローラ５０２からの指示に基づいて作動し、Ｓ字振幅の値をＡ／Ｄ変換回路１１４を介してコントローラ５０２に出力する。そして、コントローラ５０２からの指示に基づいて＋方向と−方向のピークホールド値をクリアする。
【００３１】
フォーカスエラー信号生成回路１０４は、ＨＦ信号増幅回路１０２で検出された検出信号からフォーカスエラー信号を生成して、フォーカスエラー信号をフォーカスサーボ回路１０６に供給する。フォーカスサーボ回路１０６は、このフォーカスエラー信号に基づいてフォーカスサーボ信号を生成してドライブ回路１０８に供給する。ドライブ回路１０８は、このフォーカスサーボ信号に応じて光ピックアップ装置２００のフォーカスアクチュエータを駆動制御して、対物レンズを光軸方向に変位させてフォーカスサーボ制御する。これにより、レーザ光の焦点が光ディスクＤＫの記録層に追従するように制御される。
【００３２】
このように構成した光ディスク信号評価装置１において、作業者は光ディスクＤＫをターンテーブル３０６にセットし、入力装置５０６から所定の半径位置を指示して、レーザ光の照射位置を所定の半径位置にする。尚、以後の本実施例の説明において、括弧内の符号は各フローチャートの符号に対応している。そして、入力装置５０６からレーザ光の照射を指示し、光ディスクＤＫを回転させない状態で図２のフローチャートのプログラム（Ｓ１００）を実行させる。
【００３３】
まず、Ｓ字振幅を複数回測定するためのカウンタｍ，ｎをクリアし（Ｓ１０２）、往復動発生回路１１０の動作を指示し（Ｓ１０４）、その後、信号振幅測定回路１１２での測定開始を指示する（Ｓ１０６）。そして、最初の位置で対物レンズをフォーカス方向に所定時間往復動させ、Ｓ字振幅を取り込むことを複数回行い、平均値Ｓ１（Ｓ１０８〜Ｓ１２６）を計算する。
【００３４】
その後、パルス数カウント回路３０４を駆動し（Ｓ１２８）、最初の位置から設定された角度Θｓ（データ記録不可能領域間の角度で最小の角度よりやや小さい角度）分だけ光ディスクＤＫを回転する（Ｓ１３０〜Ｓ１３８）。
【００３５】
そして、再び往復動発生回路１１０を動作させ（Ｓ１０４）、最初と同様にＳ字振幅を複数回測定して平均値Ｓ２を計算する（Ｓ１０６〜Ｓ１４０）。そして、Ｓ１，Ｓ２のＳ字振幅の内、小さいほうを評価結果として採用し、表示装置５０４に表示する（Ｓ１４２）。
【００３６】
光ディスクＤＫをターンテーブル３０６から取り除かず、初回のＳ字振幅の測定のみ上記のように２回測定を行い、２回目以降は最初の測定において評価結果として採用した位置でのみＳ字振幅の測定をする場合は、図３，図４のフローチャートのプログラムを実行させる。図３は、初回のＳ字振幅の測定のためのプログラムのフローチャートであり、図２のフローチャートに追加する分を示したものである。
【００３７】
スピンドルモータ制御回路３０２で、低速１での駆動を行い（Ｓ２０４）、スピンドルモータ３０１内のエンコーダからのインデックス信号ＩＮＤＥＸを受けた位置で停止命令を出し（Ｓ２１０）、その後停止までに回転した角度を測定し、この回転角度Θ１を記憶する（Ｓ２１４）。
【００３８】
従って、１回目の測定はインデックス信号ＩＮＤＥＸを受けた位置から回転角Θ１の位置、２回目の測定はインデックス信号ＩＮＤＥＸを受けた位置から回転角Θｓ＋Θ１移動した位置で行われる。そして、Ｓ字振幅が１回目と２回目でどちらが小さいかにより（Ｓ２２０）測定回転角としてΘ１またはΘｓ＋Θ１を記憶する（Ｓ２２２、Ｓ２２４）。
【００３９】
図４は、２回目以降のＳ字振幅の測定のためのプログラムであり、スピンドルモータ３０１をスピンドルモータ制御回路３０２で駆動し（Ｓ３０４）、初回のＳ字振幅の測定で記憶された測定回転角の位置にする。このとき、スピンドルモータ３０１は、低速１より遅い低速２で回転している（Ｓ３０４）ので、スピンドルモータ３０１が停止する位置はΘ１より前側である。従ってその後超低速回転で駆動させ、記憶された測定回転角Θ１またはΘ１＋Θｓの位置にする（Ｓ３１８〜Ｓ３２６）。尚、これ以降のＳ字振幅の測定は、図２のＳ字振幅の測定と同じである（Ｓ３２８〜Ｓ３５０）。
【００４０】
尚、通常、信号の評価はＳ字振幅以外にも、光ディスクＤＫを回転させ、フォーカスサーボとトラッキングサーボをかけてＳＵＭ信号、フォーカスエラー信号、トラッキングエラー信号などの信号において多くの特性の測定が行われ、光ディスクＤＫから取り出したこられの信号が評価される。しかし、Ｓ字振幅を評価する半径方向の位置が一定であり、回転角の位置が前記のように記憶されていれば、途中に別の特性の測定を行っても、初回Ｓ字振幅を測定した位置と同じ位置で２回目以降もＳ字振幅の測定が行える。
【００４１】
以上のように、本実施例の光ディスク信号評価装置１によれば、光ディスクＤＫの回転を停止した状態で先にＳ字振幅を評価した箇所からデータ記録不可能領域間の最小回転角度より小さい角度を回転駆動させて複数回信号の評価を行い、判別信号であるＳ字信号の振幅がデータ記録可能領域特有な振幅である方の位置におけるＳ字信号を評価用信号とし評価用信号の評価結果を選択することから、評価結果は常にデータ記録可能領域での評価結果となり、データ記録可能領域とデータ記録不可能領域が混在する光ディスクＤＫにおいても、再現性のよい信号の評価結果を得ることができる。
【００４２】
また、Ｓ字振幅の振幅がデータ記録可能領域特有の振幅となる箇所の回転角を記憶し、その回転角に光ディスクの回転角を設定できることから、光ピックアップの評価のように、セットした光ディスクＤＫを固定したまま評価を行う場合に、信号の評価を複数回行う必要がなく、作業効率を向上させることができる。
【実施例２】
【００４３】
図５は、本発明に係る光ディスク信号評価装置の第２の実施例を示す構成図である。図６及び図７は、同光ディスク信号評価装置の動作を示すフローチャートである。
【００４４】
本実施例の光ディスク信号評価装置２は、フォーカスエラー信号のＳ字信号を評価することで光ピックアップ装置２０１を評価する光ピックアップ装置２０１の評価装置である。光ディスクＤＫをバンドパスフィルタ１３０から出力するウォブル信号により一定の線速度で回転させながら（または、コントローラ５０２から入力する半径位置により計算された回転速度により一定の線速度で回転させながら）、光スポットがデータ記録不可能領域にかかったときは、信号振幅測定回路１１２に入力するフォーカスエラー信号を停止してＳ字振幅を測定するようになっている。
【００４５】
光ディスク信号評価装置２は、表示装置５０４や入力装置５０６を備えたコントローラ５０２、ＨＦ信号増幅回路１０２、フォーカスエラー信号生成回路１０４、フォーカスサーボ回路１０６、往復動発生回路１１０、信号振幅測定回路１１２、レーザ駆動回路２０２、回転駆動装置３００、スピンドルモータ制御回路３０２、パルス数カウント回路（１）３０４、フィールドモータ制御回路４０２、バンドパスフィルタ１３０、２値化回路１３２、パルス数カウント回路（２）１３４、切り換え点検出回路１３６、Ｓ字振幅計算回路１１６等から構成されている。尚、実施例１の光ディスク信号評価装置１と同一の符号が付いた回路等は、特に説明を要する場合を除き、実施例１と同一であるので説明を省略する。
【００４６】
バンドパスフィルタ１３０は、トラッキングエラー信号生成回路１２０からのトラッキングエラー信号を入力して、ある周波数領域のみの信号であるウォブル信号〈波うっているトラックに追従することで発生する交流信号）を出力するものである。トラッキングサーボ回路１２２は、このトラッキングエラー信号に基づいてトラッキングサーボ信号を生成してドライブ回路１２４に供給する。
【００４７】
スピンドルモータ制御回路３０２は、バンドパスフィルタ１３０が出力する交流信号が一定の周波数になるようにスピンドルモータを回転させる。尚、ポジションＣＬＶを行う場合はコントローラ５０２から入力する半径位置により計算された回転速度によりスピンドルモータ３０１を回転させる。
【００４８】
２値化回路１３２は、バンドパスフィルタ１３０が出力する交流信号を所定のスライスレベルによりハイレベルとローレベルのみのパルス信号にして出力する。パルス数カウント回路（２）１３４は、コントローラ５０２から指示があったとき２値化回路１３２から出力するパルス信号のパルス数のカウントを開始し、コントローラ５０２から設定されたカウント数になったとき信号をコントローラ５０２へ出力する。設定されたカウント数は、後述するランドグループの切り換え点からデータ記録不可能領域までとデータ記録不可能領域と次のデータ記録不可能領域までに存在するトラックの波打ちの数の整数倍の数値である。
【００４９】
パルス数カウント回路（１）３０４は、コントローラ５０２からの指示があったとき、スピンドルモータ３０１の中にあるエンコーダから出力されるインデックス信号ＩＮＤＥＸを検出してから、同エンコーダから出力されるパルス信号のパルス数をカウントし、カウント数から回転角度を計算して回転角度に相当する信号をコントローラ５０２に出力する。なお、エンコーダから出力されるインデックス信号ＩＮＤＥＸを検出するごとにカウント数をリセットする。よって、光ディスクＤＫが１回転すると出力する回転角度は元の値に戻る。
【００５０】
切り換え点検出回路１３６は、ウォブル信号からランドとグループの切り換え点を検出し、信号を出力する回路である。光ディスクは所定の回転角度ごとにウォブル信号にＣＡＰＡ（Complementary Allocated Pit Address）が発生するようになっているがランドとグループの切り換え点においてはＣＡＰＡが逆向きで発生するようになっている。したがって、コンパレータによりＣＡＰＡの下側と上側がどの順序で発生するかを検出することでランドとグループの切り換え点を検出することができる。
【００５１】
信号振幅測定回路１１２は、コントローラ５０２からマスク信号が入力すると、フォーカスエラー信号の入力を停止する。それ以外は前記の説明と同様の作動を行う。
【００５２】
Ｓ字振幅計算回路１１６は、コントローラ５０２から測定開始の指示があると図７に示すプログラムをスタートさせ、Ｓ字振幅の測定を行い（図７のＳ４０８）、複数回Ｓ字振幅の測定を行ってＳ字振幅値の平均値の計算を行い（図７のＳ４１６）、Ｓ字振幅の計算が終了するとコントローラ５０２へ計算が終了したことを示す信号を出力し（図７のＳ４１８）、コントローラ５０２からＳ字振幅の計算結果の出力指示があると（図７のＳ４２０）、Ｓ字振幅の計算結果を出力して停止する（図７のＳ４２２、Ｓ４２４）。
【００５３】
このように構成した光ディスク信号評価装置２において、作業者は実施例１と同様に光ディスクＤＫをターンテーブル３０６にセットし、入力装置５０６から所定の半径位置を指示して、レーザ光の照射位置を所定の半径位置にする。尚、以後の本実施例の説明において、括弧内の符号は各フローチャートの符号に対応している。そして、入力装置５０６からレーザ光の照射を指示し、光ディスクＤＫを回転させて、フォーカスサーボとトラッキングサーボを行う。その後、図６のフローチャートのプログラム（Ｓ５００）を実行させる。
【００５４】
まず、ランドグループの切り換え点における回転角度と、ランドグループの切り換え点からウォブル信号の波の数が所定の値ごとの回転角度を検出し、記憶する（Ｓ５０２〜Ｓ５２０）。ランドグループの切り換え点からデータ記録不可能領域までとデータ記録不可能領域と次のデータ記録不可能領域までに存在するトラックの波打ちの数（即ち、ウォブル信号の波の数）は一定であるので、記憶した回転角度はランドグループの切り換え点とデータ記録不可能領域が存在する回転角度である。回転角度の記憶は、スピンドルモータ３０１にあるエンコーダからインデックス信号ＩＮＤＥＸが出力されたところを０°としたパルス数カウント回路（１）３０４が出力する回転角度に相当する信号を取り込むことで行われる（Ｓ５１８）。回転角度の記憶はトラック１周分であり、ランドグループの切り換え点における回転角度は、Θ０と最後に記憶したΘｎの２つが記憶される（Ｓ５１０、Ｓ５１８）。
【００５５】
回転角度の記憶が終了すると、切り換え点検出回路１３６とパルス数カウント回路（２）１３４を停止させ（Ｓ５２２，Ｓ５２４）、フォーカスサーボおよびトラッキングサーボを停止させる（Ｓ５２６，Ｓ５２８）。そして、フォーカスアクチュエータの往復を開始し（Ｓ５３０）、Ｓ字振幅の測定に移る。
【００５６】
ランドグループの切り換え点の回転角度から所定角度Ｙを行ったところから信号振幅測定回路１１２とＳ字振幅計算回路１１６を作動開始させることでＳ字振幅の測定が開始される（Ｓ５３６、Ｓ５３８）。
【００５７】
次に、回転角度が記憶された角度の前後の所定範囲の角度でマスク信号を発生させる（Ｓ５４２、Ｓ５４４）。最後に記憶したΘｎまで行くとΘ０とほぼ値が同じであると判定して（Ｓ５５０）Θ１に回転角度がもどる。その後、Ｓ字振幅計算回路１１６からＳ字振幅の計算が終了したことを示す信号を確認すると（Ｓ５５２）、マスク信号を発生するフローから抜けて、Ｓ字振幅計算回路１１６にＳ字振幅の出力を指示し（Ｓ５５６）、Ｓ字振幅の値を記憶し（Ｓ５５８）、表示装置５０４に表示してプログラムを停止する。
【００５８】
通常、信号の評価はＳ字振幅以外にも、フォーカスサーボとトラッキングサーボをかけてＳＵＭ信号、フォーカスエラー信号、トラッキングエラー信号などの信号において多くの特性の測定が行われるが、本実施例の光ディスク信号評価装置２の構成によれば、光ディスクＤＫを回転させたままでＳ字振幅以外の特性の測定を行うことができるので作業効率がよい。
【産業上の利用可能性】
【００５９】
以上のように、本発明の光ディスク信号評価装置は、ＤＶＤ−ＲＡＭに限らずデータ記録可能領域とデータ記録不可能領域が混在するすべての光ディスクに適用することが出来る。
【図面の簡単な説明】
【００６０】
【図１】本発明に係る光ディスク信号評価装置の第１の実施例を示す構成図である。
【図２】同光ディスク信号評価装置の動作を示すフローチャートである。
【図３】同光ディスク信号評価装置の動作を示すフローチャートである。
【図４】同光ディスク信号評価装置の動作を示すフローチャートである。
【図５】本発明に係る光ディスク信号評価装置の第２の実施例を示す構成図である。
【図６】同光ディスク信号評価装置の動作を示すフローチャートである。
【図７】同光ディスク信号評価装置の動作を示すフローチャートである。
【符号の説明】
【００６１】
１，２・・・光ディスク信号評価装置
１０２・・・ＨＦ信号増幅回路
１０４・・・フォーカスエラー信号生成回路
１０６・・・フォーカスサーボ回路
１０８・・・ドライブ回路
１１０・・・往復動発生回路
１１２・・・信号振幅測定回路
１１４・・・Ａ／Ｄ変換回路
１１６・・・Ｓ字振幅計算回路
１２０・・・トラッキングエラー信号発生回路
１２２・・・トラッキングサーボ回路
１２４・・・ドライブ回路
１３０・・・バンドパスフィルタ
１３２・・・２値化回路
１３４・・・パルス数カウント回路（２）
１３６・・・切り換え点検出回路
２００・・・光ピックアップ装置
２０１・・・光ピックアップ装置
２０２・・・レーザ駆動回路
３００・・・回転駆動装置
３０１・・・スピンドルモータ
３０２・・・スピンドルモータ制御回路
３０４・・・パルス数カウント回路（１）
３０６・・・ターンテーブル
４００・・・フィールドモータ
４０２・・・フィールドモータ制御回路
５０２・・・コントローラ
５０４・・・表示装置
５０６・・・入力装置
【図１】
0004450778.tif 000002
【図２】
0004450778.tif 000003
【図３】
0004450778.tif 000004
【図４】
0004450778.tif 000005
【図５】
0004450778.tif 000006
【図６】
0004450778.tif 000007
【図７】
0004450778.tif 000008